(57)【要約】【課題】  光ピックアップのレーザー発光素子の各電極に接続されて導出される引出し用基板上の各リード用導体の断線を防止し、光ピックアップの廃棄を防止できる、光ディスク装置を提供する。【解決手段】  ２種類のレーザー発光素子を有する光ピックアップの各電極と接続されて導出される第１、第２、第３リード用導体のうち、隣り合う何れか２つの前記リード用導体の長手方向と交差する幅方向における、向かい合う幅の一部を半田にて短絡または短絡解除するための第１接続領域と、前記第１、第２、第３リード用導体のうち、隣り合う他の何れか２つの前記リード用導体の長手方向と交差する幅方向における、向かい合う幅の一部を半田にて短絡または短絡解除するための第２接続領域と、を前記長手方向に向って千鳥状に設けたことを特徴とする。【選択図】    図３
2005216436.tif 000002
【特許請求の範囲】
【請求項１】
第１ディスク媒体に対して、信号の記録または再生を行うためのレーザー光を発光する第１レーザー発光素子、前記第１ディスク媒体とは信号フォーマットが異なる第２ディスク媒体に対して、信号の記録または再生を行うためのレーザー光を発光する第２レーザー発光素子、を有する光ピックアップと、
前記第１レーザー発光素子の一方の電極と接続されて導出される第１リード用導体、前記第２レーザー発光素子の前記第１レーザー発光素子の前記一方の電極と同一の電極と接続されて導出される第２リード用導体、前記第１レーザー発光素子及び前記第２レーザー発光素子の他方の電極と共通接続されて導出される第３リード用導体、がそれぞれ所定の間隔をもって隣り合って設けられ、光ディスク装置を駆動するための回路が搭載された回路基板と電気的接続される引出し用基板と、を有する光ディスク装置において、
前記第１、第２、第３リード用導体のうち、隣り合う何れか２つの前記リード用導体の長手方向と交差する幅方向における、向かい合う幅の一部を半田にて短絡または短絡解除するための第１接続領域と、
前記第１、第２、第３リード用導体のうち、隣り合う他の何れか２つの前記リード用導体の長手方向と交差する幅方向における、向かい合う幅の一部を半田にて短絡または短絡解除するための第２接続領域と、
を、前記長手方向に向って千鳥状に設けたことを特徴とする光ディスク装置。
【請求項２】
前記第１接続領域または前記第２接続領域の少なくとも一方を前記長手方向に向って複数設けたことを特徴とする請求項１に記載の光ディスク装置。
【請求項３】
前記第３リード用導体を、前記長手方向において、前記第１リード用導体と前記第２リード用導体の間に設けたことを特徴とする請求項１または２に記載の光ディスク装置。
【請求項４】
第１ディスク媒体に対して、信号の記録または再生を行うためのレーザー光を発光する第１レーザー発光素子、前記第１ディスク媒体とは信号フォーマットが異なる第２ディスク媒体に対して、信号の記録または再生を行うためのレーザー光を発光する第２レーザー発光素子、を有する光ピックアップと、
前記第１レーザー発光素子の一方の電極と接続されて導出される第１リード用導体、前記第２レーザー発光素子の前記第１レーザー発光素子の前記一方の電極と同一の電極と接続されて導出される第２リード用導体、前記第１レーザー発光素子及び前記第２レーザー発光素子の他方の電極と共通接続されて導出される第３リード用導体、がそれぞれ所定の間隔をもって隣り合って設けられ、光ディスク装置を駆動するための回路が搭載された回路基板と電気的接続される引出し用基板と、を有する光ディスク装置において、
前記第１、第２、第３リード用導体のうち、隣り合う何れか２つの前記リード用導体の長手方向と交差する幅方向において、前記何れか２つのリード用導体の双方から導出されて対向するとともに半田にて前記何れか２つのリード用導体を短絡または短絡解除するための第１支線領域と、
前記第１、第２、第３リード用導体のうち、隣り合う他の何れか２つの前記リード用導体の長手方向と交差する幅方向において、前記他の何れか２つのリード用導体の双方から導出されて対向するとともに半田にて前記他の何れか２つのリード用導体を短絡または短絡解除するための第２支線領域と、
を、前記長手方向に設けたことを特徴とする光ディスク装置。
【請求項５】
前記第１支線領域または前記第２支線領域の少なくとも一方を前記長手方向に向って複数設けたことを特徴とする請求項４に記載の光ディスク装置。
【請求項６】
前記第１支線領域および前記第２支線領域を、前記長手方向に向って千鳥状に設けたことを特徴とする請求項４または５に記載の光ディスク装置。
【請求項７】
前記第１支線領域が設けられる前記第１、第２、第３リード用導体の長手方向と交差する幅方向において、前記何れか２つのリード用導体の前記幅方向の長さよりも、前記他の何れか２つのリード用導体の前記幅方向の長さを短くし、
前記第２支線領域が設けられる前記第１、第２、第３リード用導体の長手方向と交差する幅方向において、前記他の何れか２つのリード用導体の前記幅方向の長さよりも、前記何れか２つのリード用導体の前記幅方向の長さを短くした、
ことを特徴とする請求項６に記載の光ディスク装置。  
【請求項８】
前記第１支線領域は、前記何れか２つのリード用導体の双方から導出されるにつれて面積が大となり、前記第２支線領域は、前記他の何れか２つのリード用導体の双方から導出されるにつれて面積が大となることを特徴とする請求項４乃至７の何れかに記載の光ディスク装置。
【請求項９】
前記第３リード用導体を、前記長手方向において、前記第１リード用導と前記第２リード用導体の間に設けたことを特徴とする請求項４乃至８の何れかに記載の光ディスク装置。
【請求項１０】
第１ディスク媒体に対して、信号の記録または再生を行うためのレーザー光を発光する第１レーザー発光素子、前記第１ディスク媒体とは信号フォーマットが異なる第２ディスク媒体に対して、信号の記録または再生を行うためのレーザー光を発光する第２レーザー発光素子、を有する光ピックアップと、
前記第１レーザー発光素子の一方の電極と接続されて導出される第１リード用導体、前記第２レーザー発光素子の前記第１レーザー発光素子の前記一方の電極と同一の電極と接続されて導出される第２リード用導体、前記第１レーザー発光素子及び前記第２レーザー発光素子の他方の電極と共通接続されて導出される第３リード用導体、がそれぞれ所定の間隔をもって隣り合って設けられ、光ディスク装置を駆動するための回路が搭載された回路基板と電気的接続される引出し用基板と、を有する光ディスク装置において、
前記第１、第２、第３リード用導体のうち、隣り合う何れか２つの前記リード用導体の長手方向と交差する幅方向における、向かい合う幅の一部を半田にて短絡または短絡解除するための接続領域と、
前記第１、第２、第３リード用導体のうち、隣り合う他の何れか２つの前記リード用導体の長手方向と交差する幅方向において、前記他の何れか２つのリード用導体の双方から導出されて対向するとともに半田にて前記他の何れか２つのリード用導体を短絡または短絡解除するための支線領域と、
を、前記長手方向に設けたことを特徴とする光ディスク装置。
【発明の詳細な説明】
【技術分野】
【０００１】
本発明は、光ディスク装置に関する。
【背景技術】
【０００２】
光ディスク装置に用いられている光ピックアップのレーザー発光素子は、光ピックアップの組立工程や光ディスク装置の組立工程において、光ディスク装置等の組立を行う作業者等から受ける静電気により劣化したり破壊されたりする可能性がある。このため、一般に、これらの組立工程においては、レーザー発光素子を静電気から保護するために、回路に接続されない状態にあるレーザー発光素子のアノード電極と接続されて導出されるリード用導体と、カソード電極と接続されて導出されるリード用導体間を、引出し用基板上において半田によって接続（半田付け）し、両電極間を短絡することが行われている。  
また、光ピックアップの組立工程時に行われる、光ピックアップのレーザー発光素子の発光強度の調整、対物レンズ駆動機構のスキュー調整及び光検出器との位置調整等の調整、検査等によるレーザー発光素子の発光のためには、引出し用基板上の半田によって接続されている各リード用導体間の半田を取り外し（半田外し）が行われ、両電極間を短絡解除することが必要となる。一方、光ピックアップの調整、検査後は、レーザー発光素子の保護のため各リード用導体間を半田付けし、両電極間の短絡が行われる。  
更に光ピックアップの組立工程後の製品組立工程時においても、製品調整、検査等によるレーザー発光素子の発光のために、引出し用基板上の半田付けによって接続されている各リード用導体間の半田外しが行われ、両電極間を短絡解除することが必要となる。  
一方、製品調整、検査後は、レーザー発光素子の保護のため各リード用導体間を半田付けし、両電極間の短絡が行われる。更に最終工程において、光ディスク装置を駆動するための回路が搭載された回路基板と引出し用基板を接続した後、レーザー発光素子の発光のため、引出し用基板上の各リード用導体間の半田外しが行われ、両電極間を短絡解除することが必要となる。
【０００３】
上記のように光ピックアップの組立工程、光ディスク装置の組立工程にあたっては、引出し用基板上の各リード用導体に対し、半田外し、半田付けの作業を繰り返し行う必要がある。
【０００４】
近年、市場においてはＣＤ（Compact Disk）、ＤＶＤ（Digital Versatile Disk）ともに記録または再生が可能な光ディスク装置が提供されている。この光ディスク装置に使用される光ピックアップとしては、ＣＤに対する記録または再生のためのレーザー光を発光するＣＤ用のレーザー発光素子、及びＤＶＤに対する記録または再生のためのＣＤ用のレーザー光とは波長の異なるレーザー光を発光するＤＶＤ用のレーザー発光素子を備えたものがある。この光ピックアップは、光ディスク装置の動作を制御するための回路が搭載されている主回路基板と電気的接続されて動作するものであり、主回路基板と光ピックアップとの間に両者を電気的接続のための中継となる引出し用基板（例えばフレキシブルプリント基板）が備えられている。この引出し用基板上には２つのレーザー発光素子を発光させるべく、各レーザー発光素子のアノード電極、カソード電極と電気的接続された各リード用導体が導出されている。
【０００５】
図７(a)は、光ディスク装置に備えられた光ピックアップのＣＤ用のレーザー発光素子の両電極間の短絡及びＤＶＤ用のレーザー発光素子の両電極間を短絡する例である。
【０００６】
引出し用基板１１は、光ディスク装置の動作を制御するための回路が搭載されている主回路基板（不図示）と光ピックアップとを電気的接続するために備えられている。リード用導体１２はＣＤ用のレーザー発光素子の一方の電極（例えばアノード電極）と接続されて導出されている。リード用導体１３はＤＶＤ用のレーザー発光素子のＣＤ用のレーザー発光素子の一方の電極と同一の電極（例えばアノード電極）と接続されて導出されている。リード用導体１４はＣＤ用、ＤＶＤ用のレーザー発光素子の他方の電極（例えばカソード電極）と共通接続されて導出されている。リード用導体１２、１３、１４は引出し用基板１１上において、各リード用導体の長手方向（Ｙ方向）と直交する幅方向（Ｘ方向）上にそれぞれ所定の間隙X1、X2をもって隣り合って設けられている。
【０００７】
ＣＤ用のレーザー発光素子のアノード電極、カソード電極間は、Ｘ方向Ｙ方向上において、リード用導体１４と向かい合うリード用導体１２の幅の一部である領域１２(a)の半田付け、及びリード用導体１４の幅である領域１４(a)の半田付け、更に、リード用導体１２の領域１２とリード用導体１４の領域１４(a)間の所定の間隙X1の半田付けによって短絡される。また、ＤＶＤ用のレーザー発光素子のアノード電極、カソード電極間は、Ｘ方向Ｙ方向上において、リード用導体１４と向かい合うリード用導体１３の幅の一部である領域１３(a)の半田付け、及びリード用導体１４の幅である領域１４(a)の半田付け、更にリード用導体１３の領域１３(a)とリード用導体１４の領域１４(a)間の所定の間隙X2の半田付けによって短絡される。すなわち、ＣＤ用のレーザー発光素子の両電極及びＤＶＤ用レーザー発光素子の両電極は、それぞれ上記のように短絡することにより同電位となり、静電気による影響を受けなくなり、各レーザー発光素子の劣化や破壊を防ぐことが可能となる。
【特許文献１】特開２００３−２２８８６６号公報
【発明の開示】
【発明が解決しようとする課題】
【０００８】
しかしながら、光ピックアップの組立工程や光ディスク装置の組立工程にあたって、引出し用基板１１上の各リード用導体１２、１３、１４に対し、半田外し、半田付けの作業を繰り返し行うと、各リード用導体が半田によりダメージを受ける可能性がある。特に半田として鉛を含有しない所謂鉛フリー半田を使用した場合、このダメージは顕著なものとなる。なぜならば半田（Sn(スズ)−Ag(銀)−Cu(銅)）の銅成分を０．５％から２％と銅含有率が高くなるとコテ先温度が上昇することに起因する。
【０００９】
図７(b)または(c)は、図７(a)のリード用導体１２、１３、１４が、光ピックアップの組立工程や光ディスク装置の組立工程にあたって、鉛フリー半田を用いて半田外し、半田付けの作業を繰り返したことによりダメージを受けた各リード用導体の図である。
【００１０】
引出し用基板１１上のリード用導体１２、１３、１４に対し半田付け（図７(a)）、半田外し（不図示）を繰り返すと、図７(b)のようにリード用導体１２は、Ｘ方向Ｙ方向上において、半田によりリード用導体１４と向かい合う幅の一部であるリード用導体１２上の領域１２(b)の剥離が生じる。またリード用導体１３は、Ｘ方向Ｙ方向上において、半田によりリード用導体１４と向かい合う幅の一部であるリード用導体１３上の領域１３(b)の剥離が生じる。更に、リード用導体１４は、Ｘ方向Ｙ方向上において、半田によりリード用導体１２と向かい合う幅の一部及びリード用導体１３と向かい合う幅の一部であるリード用導体１４上の領域１４(b)の剥離が生じる。そのため、リード用導体１２はＸ方向上において、領域１２(b)の剥離後の幅しか残らない（リード用導体１２のやせ細り）ことになる。またリード用導体１３はＸ方向上において、領域１３(b)の剥離後の幅しか残らない（リード用導体１３のやせ細り）ことになる。更にリード用導体１４はＸ方向上において、領域１４(b)の剥離後の幅しか残らない（リード用導体１４のやせ細り）ことになる。
【００１１】
図７(b)の状態にある引出し用基板１１上のリード用導体１２、１３、１４に更に半田外し、半田付けを繰り返すと、図７(c)のようにリード用導体１２は、Ｘ方向Ｙ方向上において、半田によりリード用導体１２上の領域１２(c)の剥離が更に生じる。またリード用導体１３は、Ｘ方向Ｙ方向上において、半田によりリード用導体１３上の領域１３(c)の剥離が更に生じる。更にリード用導体１４は、Ｘ方向Ｙ方向上において、半田によりリード用導体１４上の領域１４(c)の剥離が更に生じる。よってリード用導体１２、１３、１４はＹ方向上において断線してしまい、光ピックアップは使用不能となってしまう。
【００１２】
そこで、本発明は、光ピックアップの組立工程や光ディスク装置の組立工程にあたって、半田外し、半田付けを繰り返して行っても、光ピックアップのレーザー発光素子の各電極に接続されて導出される引出し用基板上の各リード用導体の断線を防止し、光ピックアップの廃棄を防止できる、光ディスク装置を提供することを目的とする。
【課題を解決するための手段】
【００１３】
前記課題を解決するための発明は、第１ディスク媒体に対して、信号の記録または再生を行うためのレーザー光を発光する第１レーザー発光素子、前記第１ディスク媒体とは信号フォーマットが異なる第２ディスク媒体に対して、信号の記録または再生を行うためのレーザー光を発光する第２レーザー発光素子、を有する光ピックアップと、前記第１レーザー発光素子の一方の電極と接続されて導出される第１リード用導体、前記第２レーザー発光素子の前記第１レーザー発光素子の前記一方の電極と同一の電極と接続されて導出される第２リード用導体、前記第１レーザー発光素子及び前記第２レーザー発光素子の他方の電極と共通接続されて導出される第３リード用導体、がそれぞれ所定の間隔をもって隣り合って設けられ、光ディスク装置を駆動するための回路が搭載された回路基板と電気的接続される引出し用基板と、を有する光ディスク装置において、前記第１、第２、第３リード用導体のうち、隣り合う何れか２つの前記リード用導体の長手方向と交差する幅方向における、向かい合う幅の一部を半田にて短絡または短絡解除するための第１接続領域と、前記第１、第２、第３リード用導体のうち、隣り合う他の何れか２つの前記リード用導体の長手方向と交差する幅方向における、向かい合う幅の一部を半田にて短絡または短絡解除するための第２接続領域と、を前記長手方向に向って千鳥状に設けたこと、を特徴とする。
【００１４】
また、第１ディスク媒体に対して、信号の記録または再生を行うためのレーザー光を発光する第１レーザー発光素子、前記第１ディスク媒体とは信号フォーマットが異なる第２ディスク媒体に対して、信号の記録または再生を行うためのレーザー光を発光する第２レーザー発光素子、を有する光ピックアップと、前記第１レーザー発光素子の一方の電極と接続されて導出される第１リード用導体、前記第２レーザー発光素子の前記第１レーザー発光素子の前記一方の電極と同一の電極と接続されて導出される第２リード用導体、前記第１レーザー発光素子及び前記第２レーザー発光素子の他方の電極と共通接続されて導出される第３リード用導体、がそれぞれ所定の間隔をもって隣り合って設けられ、光ディスク装置を駆動するための回路が搭載された回路基板と電気的接続される引出し用基板と、を有する光ディスク装置において、前記第１、第２、第３リード用導体のうち、隣り合う何れか２つの前記リード用導体の長手方向と交差する幅方向において、前記何れか２つのリード用導体の双方から導出されて対向するとともに半田にて前記何れか２つのリード用導体を短絡または短絡解除するための第１支線領域と、前記第１、第２、第３リード用導体のうち、隣り合う他の何れか２つの前記リード用導体の長手方向と交差する幅方向において、前記他の何れか２つのリード用導体の双方から導出されて対向するとともに半田にて前記他の何れか２つのリード用導体を短絡または短絡解除するための第２支線領域と、を前記長手方向に設けたこと、を特徴とする。
【００１５】
更に、第１ディスク媒体に対して、信号の記録または再生を行うためのレーザー光を発光する第１レーザー発光素子、前記第１ディスク媒体とは信号フォーマットが異なる第２ディスク媒体に対して、信号の記録または再生を行うためのレーザー光を発光する第２レーザー発光素子、を有する光ピックアップと、前記第１レーザー発光素子の一方の電極と接続されて導出される第１リード用導体、前記第２レーザー発光素子の前記第１レーザー発光素子の前記一方の電極と同一の電極と接続されて導出される第２リード用導体、前記第１レーザー発光素子及び前記第２レーザー発光素子の他方の電極と共通接続されて導出される第３リード用導体、がそれぞれ所定の間隔をもって隣り合って設けられ、光ディスク装置を駆動するための回路が搭載された回路基板と電気的接続される引出し用基板と、を有する光ディスク装置において、前記第１、第２、第３リード用導体のうち、隣り合う何れか２つの前記リード用導体の長手方向と交差する幅方向における、向かい合う幅の一部を半田にて短絡または短絡解除するための接続領域と、前記第１、第２、第３リード用導体のうち、隣り合う他の何れか２つの前記リード用導体の長手方向と交差する幅方向において、前記他の何れか２つのリード用導体の双方から導出されて対向するとともに半田にて前記他の何れか２つのリード用導体を短絡または短絡解除するための支線領域と、を前記長手方向に設けたこと、を特徴とする。
【発明の効果】
【００１６】
本発明によれば、光ピックアップの組立工程や光ディスク装置の組立工程にあたって、半田外し、半田付けを繰り返して行っても、光ピックアップのレーザー発光素子の各電極に接続されて導出される引出し用基板上の各リード用導体の断線を防止し、光ピックアップの廃棄を防止できる、光ディスク装置を提供することが可能となる。
【発明を実施するための最良の形態】
【００１７】
本明細書および添付図面の記載により、少なくとも以下の事項が明らかとなる。
【００１８】
＝＝＝光ディスク装置の概略構成＝＝＝
図１を参照しつつ、本発明を適用する光ディスク装置の概略について説明する。図１は、本発明を適用する光ディスク装置の概略構成を示す図である。
【００１９】
図１において、光ピックアップ送り機構１は、防振ゴムなど（不図示）を介してディスクトレイ６に保持されている。主回路基板（回路基板）２はディスク媒体（不図示）に対して信号の記録または再生処理を行うための回路等、光ディスク装置を駆動するための回路が搭載されており、ボトムケース４に固定されている。トップケース５は主回路基板２等の保護のためボトムケース４に固定されている。ディスクトレイ６は、レール機構７を介してボトムケース４に対し移動可能に保持されており、ディスクトレイ６が引き出された状態のとき、ディスク媒体の付け外しが行われる。また、ディスクトレイ６は、装置内の所定位置に引き込まれた状態では飛び出さないようにロックされるようになっており、またイジェクト機構が内蔵され、イジェクト操作されたときはロックが解除され、ディスクトレイ６が引き出されるようになっている。フレキシブルプリント基板３は、主回路基板２と光ピックアップ送り機構１とを電気的接続し、光ピックアップ送り機構１が固定されているディスクトレイ６が移動しても、主回路基板２と光ピックアップ送り機構１との電気的接続を保持するように設けられている。ディスクモータ８は先端のチャッキング機構によりディスク媒体を保持するよう光ピックアップ送り機構１に固定されている。光ピックアップ９は、ディスク媒体の半径方向に移動できるように、光ピックアップ送り機構１に保持されている。
【００２０】
＝＝＝光ピックアップの概略構成＝＝＝
図１、図２を参照しつつ、本発明を適用する光ディスク装置の光ピックアップの概略について説明する。図２は、図１の光ピックアップ９についての概略構成を示す図である。
【００２１】
図２において光ピックアップ９は内部にＣＤ（Compact Disk・第１ディスク媒体）用のレーザー発光素子と受光素子、及びＣＤ用のレーザー発光素子とは波長の異なるＤＶＤ(Digital Versatile Disk・第２ディスク媒体)用のレーザー発光素子と受光素子を内蔵している。光ピックアップ９はＣＤ用のレーザー発光素子またはＤＶＤ用のレーザー発光素子から発光したレーザー光を対物レンズ１０でＣＤまたはＤＶＤに結像させ、ＣＤまたはＤＶＤからの反射光をそれぞれの受光素子で電気信号に変換し、電気信号を、ＣＤ用のレーザー発光素子の例えばアノード電極（一方の電極）と接続されて導出されるリード用導体１２、ＤＶＤ用のレーザー発光素子の例えばアノード電極（一方の電極と同一の電極）と接続されて導出されるリード用導体１３、ＣＤ用、ＤＶＤ用のレーザー発光素子の例えばカソード電極（他方の電極）と共通接続されて導出されるリード用導体１４を含む光ピックアップ引出し配線が設けられた引出し用基板１１に出力する。引出し用基板１１は主回路基板２と光ピックアップ９とを、フレキシブルプリント基板３を介して電気的接続させるために設けられている。
【００２２】
＝＝＝第１の実施形態＝＝＝
図３は本発明の第１の実施形態である。図１、図２、図３を参照しつつ、本発明を適用する光ディスク装置の光ピックアップ９のＣＤ用のレーザー発光素子のアノード電極及びカソード電極間の短絡または短絡解除、及びＤＶＤ用のレーザー発光素子のアノード電極及びカソード電極間の短絡または短絡解除の具体的構成について説明する。
【００２３】
引出し用基板１１は主回路基板２と光ピックアップ９とを、フレキシブルプリント基板３を介して電気的接続させるために設けられている。リード用導体１２はＣＤ用のレーザー発光素子の例えばアノード電極と接続されて導出されている。リード用導体１３はＤＶＤ用のレーザー発光素子の例えばアノード電極と接続されて導出されている。リード用導体１４はＣＤ用、ＤＶＤ用のレーザー発光素子の例えばカソード電極（例えばグランド）と共通接続されて導出されている。引出し用基板１１上における各リード用導体１２、１３、１４の長手方向（Ｙ方向）と直交（交差）する幅方向（Ｘ方向）上において、リード用導体１４はリード用導体１２とリード用導体１３の間に設けられている。またＸ方向上においてリード用導体１２はリード用導体１４と所定の間隙（間隔）Ｘ１をもって設けられ、リード用導体１３はリード用導体１４と所定の間隙（間隔）Ｘ２をもって設けられている。なお、Ｘ方向において、間隙Ｘ１及び間隙Ｘ２の長さは、どちらか一方が長くても、等しくても、どちらか一方が短くても良く、適宜設定することが可能である。
【００２４】
リード用導体１２とリード用導体１４との間には、リード用導体１２、１４を半田にて短絡または短絡解除するための接続領域Ａ（第１接続領域）が設けられている。この接続領域Ａは、Ｘ方向において、リード用導体１２、１４の向かい合う側の幅の一部を含む長さ（間隙Ｘ１より長い長さ）を有し、Ｙ方向において、所定の長さを有する。なお、接続領域ＡのＹ方向における長さは、Ｘ方向における長さに対し、短くても、等しくても、長くても良く、適宜設定することが可能である。この接続領域Ａは、リード用導体１２、１４の間のＹ方向において、所定の間隔Ｙ１をもって複数設けられている。本実施の形態においては、例えば３個の接続領域Ａ１、Ａ２、Ａ３を設けることとする。そして、接続領域Ａ１、Ａ２、Ａ３の何れかを半田にて接続することにより、ＣＤ用のレーザー発光素子のアノード電極及びカソード電極間は短絡されることとなる。一方、接続領域Ａ１、Ａ２、Ａ３の何れかに付着されている半田を取り除くことにより、ＣＤ用のレーザー発光素子のアノード電極及びカソード電極間は短絡解除されることとなる。
【００２５】
一方、リード用導体１３とリード用導体１４との間には、リード用導体１３、１４を半田にて短絡または短絡解除するための接続領域Ｂ（第２接続領域）が設けられている。この接続領域Ｂは、Ｘ方向において、リード用導体１３、１４の向かい合う側の幅の一部を含む長さ（間隙Ｘ２より長い長さ）を有し、Ｙ方向において、所定の長さＹ３を有しており、接続領域Ａと所定の間隔Ｙ２（Ｙ２＋Ｙ３はＹ１より短い長さ）をもって設けられている。なお、接続領域ＢのＹ方向における長さＹ３は、Ｘ方向における長さに対し、短くても、等しくても、長くても良く、適宜設定することが可能である。また接続領域Ａと接続領域Ｂとの間隔Ｙ２も適宜設定することが可能である。この接続領域Ｂは、リード用導体１３、１４の間のＹ方向において複数設けられている。本実施の形態においては、例えば３箇所の接続領域Ｂ１、Ｂ２、Ｂ３を接続領域Ａ１、Ａ２、Ａ３に対してそれぞれ所定の間隔Ｙ２をもって設けることとする。よって接続領域Ａ１、Ａ２、Ａ３及び接続領域Ｂ１、Ｂ２、Ｂ３はＹ方向に向かって千鳥状に設けられることになる。そして、接続領域Ｂ１、Ｂ２、Ｂ３の何れかを半田にて接続することにより、ＤＶＤ用のレーザー発光素子のアノード電極及びカソード電極間は短絡することとなる。一方、接続領域Ｂ１、Ｂ２、Ｂ３の何れかに付着されている半田を取り除くことにより、ＤＶＤ用のレーザー発光素子のアノード電極及びカソード電極間は短絡解除されることとなる。また接続領域Ａ１、Ａ２、Ａ３及び接続領域Ｂ１、Ｂ２、Ｂ３以外の領域は絶縁層が設けられている。
【００２６】
光ピックアップ９の有するＣＤ用のレーザー発光素子及びＤＶＤ用のレーザー発光素子は、光ディスク装置等の組立を行う作業者等から受ける静電気からの保護のため、接続領域Ａ１、Ａ２、Ａ３の何れかを半田にて接続し、ＣＤ用のレーザー発光素子のアノード電極及びカソード電極間を短絡する。また接続領域Ｂ１、Ｂ２、Ｂ３の何れかを半田にて接続し、ＤＶＤ用のレーザー発光素子のアノード電極及びカソード電極間を短絡する。すなわちＣＤ用のレーザー発光素子のアノード電極及びカソード電極間は、接続領域Ａ１、Ａ２、Ａ３の何れかを半田で接続し短絡することにより同電位となり静電気による影響を受けなくなる。同様にＤＶＤ用のレーザー発光素子のアノード電極及びカソード電極間も、接続領域Ｂ１、Ｂ２、Ｂ３の何れかを半田で接続し短絡することにより同電位となり静電気による影響を受けなくなる。
【００２７】
一方、光ピックアップの組立工程時の光ピックアップ９のレーザー発光素子の発光強度の調整、対物レンズ駆動機構のスキュー調整及び光検出器との位置調整等の調整、検査等においてＣＤ用のレーザー発光素子の発光及びＤＶＤ用のレーザー発光素子を発光させる場合、ＣＤ用のレーザー発光素子のアノード電極及びカソード電極間の短絡解除、及びＤＶＤ用のレーザー発光素子のアノード電極及びカソード電極間の短絡解除を行うことが必要となる。そのためＣＤ用のレーザー発光素子のアノード電極及びカソード電極間の接続領域Ａ１、Ａ２、Ａ３の何れかに付着されている半田を取り除くことによりＣＤ用のレーザー発光素子の両電極間を短絡解除し、またＤＶＤ用のレーザー発光素子のアノード電極及びカソード電極間の接続領域Ｂ１、Ｂ２、Ｂ３の何れかに付着されている半田を取り除くことによりＤＶＤ用のレーザー発光素子の両電極間の短絡解除を行う。
【００２８】
ＣＤ用のレーザー発光素子の発光、ＤＶＤ用のレーザー発光素子の発光により光ピックアップ９の調整、検査を行った後は、ＣＤ用のレーザー発光素子及びＤＶＤ用のレーザー発光素子を光ディスク装置等の組立を行う作業者等から受ける静電気から保護するため、再び接続領域Ａ１、Ａ２、Ａ３の何れかを半田にて接続し、ＣＤ用のレーザー発光素子のアノード電極及びカソード電極を短絡し、また接続領域Ｂ１、Ｂ２、Ｂ３の何れかを半田にて接続し、ＤＶＤ用のレーザー発光素子のアノード電極及びカソード電極間を短絡する。
【００２９】
光ピックアップの組立工程後の光ディスク装置の組立工程の一部としての装置メカ部（例えば光ピックアップ送り機構１）との調整の際にも、光ピックアップ９のＣＤ用のレーザー発光素子のアノード電極及びカソード電極間の短絡解除、及びＤＶＤ用のレーザー発光素子のアノード電極及びカソード電極間の短絡解除が必要となる。
【００３０】
そのためＣＤ用のレーザー発光素子のアノード電極及びカソード電極間の接続領域Ａ１、Ａ２、Ａ３の何れかに付着されている半田を取り除くことによりＣＤ用レーザー発光素子の各電極間の短絡解除を行い、またＤＶＤ用のレーザー発光素子のアノード電極及びカソード電極間の接続領域Ｂ１、Ｂ２、Ｂ３の何れかに付着されている半田を取り外すことによりＤＶＤ用のレーザー発光素子の各電極間の短絡解除を行う。
【００３１】
光ピックアップ９の光ディスク装置の組立工程の一部として装置メカ部との調整を行った後は、ＣＤ用のレーザー発光素子及びＤＶＤ用のレーザー発光素子を光ディスク装置等の組立を行う作業者等から受ける静電気から保護するため、再び接続領域Ａ１、Ａ２、Ａ３の何れかを半田にて接続し、ＣＤ用のレーザー発光素子のアノード電極及びカソード電極を短絡し、また接続領域Ｂ１、Ｂ２、Ｂ３の何れかを半田にて接続し、ＤＶＤ用のレーザー発光素子のアノード電極及びカソード電極間を短絡する。
【００３２】
装置メカ部への組込みにおいてはＣＤ用のレーザー発光素子のアノード電極及びカソード電極間、及びＤＶＤ用レーザー発光素子のアノード電極及びカソード電極間を短絡状態としたままで装置メカ部への組込みを行い、主回路基板２をフレキシブルプリント基板３に接続して装置メカ部への組込みを終了する。その後、ＣＤ用のレーザー発光素子のアノード電極及びカソード電極間の接続領域Ａ１、Ａ２、Ａ３の何れかに付着されている半田を取り除くことによりＣＤ用のレーザー発光素子の両電極間の短絡解除を行い、またＤＶＤ用のレーザー発光素子のアノード電極及びカソード電極間の接続領域Ｂ１、Ｂ２、Ｂ３の何れかに付着されている半田を取り除くことによりＤＶＤ用のレーザー発光素子の両電極間の短絡解除を行う。さらにその後トップケース５やボトムケース４を装着する。
【００３３】
上記第１の実施形態によれば、光ピックアップの組立工程、光ディスク装置の組立工程時のＣＤ用のレーザー発光素子のアノード電極及びカソード電極間の短絡または短絡解除のための接続領域Ａ１、Ａ２、Ａ３への半田の接続、半田の取り除きが少なくとも３回繰り返されることにより、接続領域Ａ１、Ａ２、Ａ３の何れかにおいて半田によるリード用導体１２、１４の剥離が生じても、他の何れかの接続領域（例えば接続領域Ａ１においてリード用導体１２、１４の剥離が生じた場合の接続領域Ａ２、Ａ３）において半田の接続、半田の取り除きを行うことによりＣＤ用のレーザー発光素子のアノード電極及びカソード電極間の短絡、短絡解除を行うことが可能となる。また、リード用導体１２、１４の剥離が生じても、Ｘ方向において各リード用導体１２、１４の幅の一部は残ることになり、各リード用導体１２、１４の断線を防止することが可能となる。同様にＤＶＤ用のレーザー発光素子のアノード電極及びカソード電極間の短絡または短絡解除のための接続領域Ｂ１、Ｂ２、Ｂ３への半田の接続、半田の取り除きが少なくとも３回繰り返されることにより、接続領域Ｂ１、Ｂ２、Ｂ３の何れかにおいて半田によるリード用導体１３、１４の剥離が生じても、他の何れかの接続領域（例えば接続領域Ｂ１においてリード用導体１３、１４の剥離が生じた場合の接続領域Ｂ２、Ｂ３）において半田の接続、半田の取り除きを行うことによりＤＶＤ用のレーザー発光素子のアノード電極及びカソード電極間の短絡、短絡解除を行うことが可能となる。また、リード用導体１３、１４の剥離が生じても、Ｘ方向において各リード用導体１３、１４の幅の一部は残ることになり、各リード用導体１３、１４の断線を防止することが可能となる。更に、接続領域Ａ１、Ａ２、Ａ３及び接続領域Ｂ１、Ｂ２、Ｂ３をＹ方向に向かって千鳥状に設けたことにより、例えば接続領域Ａ１において半田によるリード用導体１４の剥離、及びＢ１において半田によるリード用導体１４の剥離が生じたとしてもリード用導体１４の幅の一部は残ることになり、リード用導体１４の断線を防止することが可能となる。特にリード用導体の剥離が顕著となる、銅の含有率が高い鉛フリー半田（Sn(スズ)−Ag(銀)−Cu(銅)）を使用した場合において、各リード用導体１２、１３、１４の剥離が生じても、ＣＤ用のレーザー発光素子のアノード電極及びカソード電極間の短絡または短絡解除、及びＤＶＤ用のレーザー発光素子のアノード電極及びカソード電極間の短絡または短絡解除が可能となる。
【００３４】
＝＝＝第２の実施形態＝＝＝
図４は本発明の第２の実施形態である。図１、図２、図４を参照しつつ、本発明を適用する光ディスク装置の光ピックアップ９のＣＤ用のレーザー発光素子のアノード電極及びカソード電極間の短絡または短絡解除、及びＤＶＤ用のレーザー発光素子のアノード電極及びカソード電極間の短絡または短絡解除の具体的構成について説明する。
【００３５】
引出し用基板１１は主回路基板２と光ピックアップ９とを、フレキシブルプリント基板３を介して電気的接続させるために設けられている。リード用導体１２はＣＤ用のレーザー発光素子の例えばアノード電極と接続されて導出されている。リード用導体１３はＤＶＤ用のレーザー発光素子の例えばアノード電極と接続されて導出されている。リード用導体１４はＣＤ用、ＤＶＤ用のレーザー発光素子の例えばカソード電極（例えばグランド）と共通接続されて導出されている。引出し用基板１１上における各リード用導体１２、１３、１４の長手方向（Ｙ方向）と直交（交差）する幅方向（Ｘ方向）上において、リード用導体１４はリード用導体１２とリード用導体１３の間に設けられている。またＸ方向上においてリード用導体１２はリード用導体１４と所定の間隙（間隔）Ｘ３をもって設けられ、リード用導体１３はリード用導体１４と所定の間隙（間隔）Ｘ４をもって設けられている。なお、Ｘ方向において、間隙Ｘ３及び間隙Ｘ４の長さは、どちらか一方が長くても、等しくても、どちらか一方が短くても良く、適宜設定することが可能である。
【００３６】
リード用導体１２とリード用導体１４との間には、リード用導体１２、１４を半田にて短絡または短絡解除するための支線領域Ｃ（第１支線領域）が設けられている。この支線領域Ｃにおいて、リード用導体１２、１４は双方から導出されて対向する支線を有する。リード用導体１２から導出されて対向する支線はＸ方向において長さＸ５を有し、Ｙ方向において所定の長さを有している。またリード用導体１４から導出されて対向する支線はＸ方向において長さＸ６（Ｘ５＋Ｘ６は間隙Ｘ３より短い長さ）を有し、Ｙ方向において所定の長さを有している。なお、支線領域ＣのＹ方向におけるそれぞれの所定の長さは、Ｘ方向における長さＸ５、Ｘ６に対し、短くても、等しくても、長くても良く、適宜設定することが可能である。また支線領域Ｃはリード用導体１２、１４の双方から導出されて対向するにつれて面積が大となるように設けられる。この支線領域Ｃは、リード用導体１２、１４の間のＹ方向において、所定の間隔をもって複数設けられている。本実施の形態においては、例えば３個の支線領域Ｃ１、Ｃ２、Ｃ３を設けることとする。そして、支線領域Ｃ１、Ｃ２、Ｃ３の何れかを半田にて接続することにより、ＣＤ用のレーザー発光素子のアノード電極及びカソード電極間は短絡されることとなる。一方、支線領域Ｃ１、Ｃ２、Ｃ３の何れかに付着されている半田を取り除くことにより、ＣＤ用のレーザー発光素子のアノード電極及びカソード電極間は短絡解除されることとなる。
【００３７】
一方、リード用導体１３とリード用導体１４との間には、リード用導体１３、１４を半田にて短絡または短絡解除するための支線領域Ｄ（第２支線領域）が設けられている。この支線領域Ｄにおいて、リード用導体１３、１４は双方から導出されて対向する支線を有する。リード用導体１３から導出されて対向する支線はＸ方向において長さＸ７を有し、Ｙ方向において所定の長さを有している。リード用導体１４から導出されて対向する支線は長さＸ８（Ｘ７＋Ｘ８は間隙Ｘ４より短い長さ）を有し、Ｙ方向において所定の長さを有している。なお、支線領域ＤのＹ方向におけるそれぞれの所定の長さは、Ｘ方向における長さＸ７、Ｘ８に対し、短くても、等しくても、長くても良く、適宜設定することが可能である。また支線領域Ｄはリード用導体１３、１４の双方から導出されて対向するにつれて面積が大となるように設けられる。この支線領域Ｄは、リード用導体１３、１４の間のＹ方向において、所定の間隔をもって複数設けられている。本実施の形態においては、例えば３箇所の支線領域Ｄ１、Ｄ２、Ｄ３を支線領域Ｃ１、Ｃ２、Ｃ３に対してそれぞれ所定の間隔をもって設けることとする。よって支線領域Ｃ１、Ｃ２、Ｃ３及び支線領域Ｄ１、Ｄ２、Ｄ３はＹ方向に向かって千鳥状に設けられることになる。そして、支線領域Ｄ１、Ｄ２、Ｄ３の何れかを半田にて接続することにより、ＤＶＤ用のレーザー発光素子のアノード電極及びカソード電極間は短絡することとなる。一方、支線領域Ｄ１、Ｄ２、Ｄ３の何れかに付着されている半田を取り除くことにより、ＤＶＤ用のレーザー発光素子のアノード電極及びカソード電極間は短絡解除されることとなる。なお支線領域Ｃ１、Ｃ２、Ｃ３及び支線領域Ｄ１、Ｄ２、Ｄ３以外の領域は絶縁層が設けられている。
【００３８】
本実施形態においては光ピックアップ９が有するＣＤ用のレーザー発光素子を、光ディスク装置等の組立を行う作業者等から受ける静電気から保護するため、ＣＤ用のレーザー発光素子のアノード電極及びカソード電極間の短絡を支線領域Ｃ１、Ｃ２、Ｃ３の何れかを半田にて接続することによりＣＤ用のレーザー発光素子のアノード電極及びカソード電極間の短絡を行う。同様に光ピックアップ９が有するＤＶＤ用のレーザー発光素子を光ディスク装置等の組立を行う作業者等から受ける静電気から保護するため、ＤＶＤ用のレーザー発光素子のアノード電極及びカソード電極間の短絡を支線領域Ｄ１、Ｄ２、Ｄ３の何れかを半田にて接続することによりＤＶＤ用のレーザー発光素子のアノード電極及びカソード電極間の短絡を行う。
【００３９】
一方、光ピックアップ９の組立工程、光ディスク装置の組立工程時等の光ピックアップ９の有するＣＤ用のレーザー発光素子のアノード電極及びカソード電極間の短絡解除を支線領域Ｃ１、Ｃ２、Ｃ３の何れかに付着されている半田を取り除くことによりＣＤ用のレーザー発光素子のアノード電極及びカソード電極間の短絡解除を行う。同様にＤＶＤ用のレーザー発光素子のアノード電極及びカソード電極間の短絡解除を支線領域Ｄ１、Ｄ２、Ｄ３の何れかに付着されている半田を取り除くことによりＤＶＤ用のレーザー発光素子のアノード電極及びカソード電極間の短絡解除を行う。
【００４０】
上記第２の実施形態によれば、光ピックアップの組立工程、光ディスク装置の組立工程時のＣＤ用のレーザー発光素子のアノード電極及びカソード電極間の短絡または短絡解除のための支線領域Ｃ１、Ｃ２、Ｃ３への半田の接続、半田の取り除きが少なくとも３回繰り返されることにより、支線領域Ｃ１、Ｃ２、Ｃ３の何れかにおいて半田による支線の剥離が生じても、他の何れかの支線領域（例えば支線領域Ｃ１において支線の剥離が生じた場合の支線領域Ｃ２、Ｃ３）において半田の接続、半田の取り除きを行うことによりＣＤ用のレーザー発光素子のアノード電極及びカソード電極間の短絡、短絡解除を行うことが可能となる。また、リード用導体１２、１４の双方から導出されて接続される支線に剥離が生じても、Ｘ方向において各リード用導体１２、１４の幅はそのまま残ることになり、各リード用導体１２、１４の断線を防止することが可能となる。更に、支線領域Ｃ１、Ｃ２、Ｃ３においては各リード用導体１２、１４の双方から導出されて対向するにつれて面積が大となることから、半田の接続、半田の取り除きが容易に可能となる。
【００４１】
同様にＤＶＤ用のレーザー発光素子のアノード電極及びカソード電極間の短絡または短絡解除のための支線領域Ｄ１、Ｄ２、Ｄ３への半田の接続、半田の取り除きが少なくとも３回繰り返されることにより、支線領域Ｄ１、Ｄ２、Ｄ３の何れかにおいて半田による支線の剥離が生じても、他の何れかの支線領域（例えば支線領域Ｄ１において支線の剥離が生じた場合の支線領域Ｄ２、Ｄ３）において半田の接続、半田の取り除きを行うことによりＤＶＤ用のレーザー発光素子のアノード電極及びカソード電極間の短絡、短絡解除を行うことが可能となる。同様にリード用導体１３、１４の双方から導出されて接続される支線に剥離が生じても、Ｘ方向において各リード用導体１３、１４の幅はそのまま残ることになり、各リード用導体１３、１４の断線を防止することが可能となる。
【００４２】
更に、支線領域Ｄ１、Ｄ２、Ｄ３においては各リード用導体１３、１４の双方から導出されて対向するにつれて面積が大となることから、半田の接続、半田の取り除きが容易に可能となる。更に、支線領域Ｃ１、Ｃ２、Ｃ３及び支線領域Ｄ１、Ｄ２、Ｄ３をＹ方向に向かって千鳥状に設けたことにより、例えば支線領域Ｃ１において半田によるリード用導体１４の支線の剥離、及びＤ１において半田によるリード用導体１４の支線の剥離が生じたとしても、リード用導体１４の幅は各支線の剥離によるダメージを受けにくくなる。特にリード用導体の剥離が顕著となる、銅の含有率が高い鉛フリー半田（Sn(スズ)−Ag(銀)−Cu(銅)）を使用した場合において、各リード用導体１２、１３、１４の剥離が生じず、ＣＤ用のレーザー発光素子のアノード電極及びカソード電極間の短絡または短絡解除、及びＤＶＤ用のレーザー発光素子のアノード電極及びカソード電極間の短絡または短絡解除が可能となる。
【００４３】
＝＝＝第３の実施形態＝＝＝
図５は本発明の第３の実施形態である。図１、図２、図５を参照しつつ、本発明を適用する光ディスク装置の光ピックアップ９のＣＤ用のレーザー発光素子のアノード電極及びカソード電極間の短絡または短絡解除、及びＤＶＤ用のレーザー発光素子のアノード電極及びカソード電極間の短絡または短絡解除の具体的構成について説明する。
【００４４】
引出し用基板１１は主回路基板２と光ピックアップ９とを、フレキシブルプリント基板３を介して電気的接続させるために設けられている。リード用導体１２はＣＤ用のレーザー発光素子の例えばアノード電極と接続されて導出されている。リード用導体１３はＤＶＤ用のレーザー発光素子の例えばアノード電極と接続されて導出されている。リード用導体１４はＣＤ用、ＤＶＤ用のレーザー発光素子の例えばカソード電極（例えばグランド）と共通接続されて導出されている。引出し用基板１１上における各リード用導体１２、１３、１４の長手方向（Ｙ方向）と直交（交差）する幅方向（Ｘ方向）上において、リード用導体１４はリード用導体１２とリード用導体１３の間に設けられている。
【００４５】
リード用導体１２とリード用導体１４との間には、リード用導体１２、１４を半田にて短絡または短絡解除するための支線領域Ｅ（第１支線領域）が設けられている。この支線領域Ｅにおいて、リード用導体１２、１４は双方から導出されて対向する支線を有する。リード用導体１２から導出されて対向する支線はＸ方向において長さＸ１０を有し、Ｙ方向において所定の長さＹ５を有している。またリード用導体１４から導出されて対向する支線はＸ方向において長さＸ９を有し、Ｙ方向において所定の長さＹ４を有している。  
なお、支線領域ＥのＹ方向におけるそれぞれの所定の長さＹ４Ｙ５は、Ｘ方向における長さＸ９、Ｘ１０に対し、短くても、等しくても、長くても良く、適宜設定することが可能である。また支線領域Ｅはリード用導体１２、１４の双方から導出されて対向するにつれて面積が大となるように設けられる。この支線領域Ｅは、リード用導体１２、１４の間のＹ方向において、所定の間隔Ｙ６をもって複数設けられている。本実施の形態においては、例えば３個の支線領域Ｅ１、Ｅ２、Ｅ３を設けることとする。そして、支線領域Ｅ１、Ｅ２、Ｅ３の何れかを半田にて接続することにより、ＣＤ用のレーザー発光素子のアノード電極及びカソード電極間は短絡されることとなる。一方、支線領域Ｅ１、Ｅ２、Ｅ３の何れかに付着されている半田を取り除くことにより、ＣＤ用のレーザー発光素子のアノード電極及びカソード電極間は短絡解除されることとなる。
【００４６】
一方、リード用導体１３とリード用導体１４との間には、リード用導体１３、１４を半田にて短絡または短絡解除するための支線領域Ｆ（第２支線領域）が設けられている。この支線領域Ｆにおいて、リード用導体１３、１４は双方から導出されて対向する支線を有する。リード用導体１３から導出されて対向する支線はＸ方向において長さＸ１１を有し、Ｙ方向において所定の長さＹ６を有している。リード用導体１４から導出されて対向する支線は長さＸ１２を有し、Ｙ方向において所定の長さＹ７を有している。  
なお、支線領域ＦのＹ方向におけるそれぞれの所定の長さＹ６Ｙ７は、Ｘ方向における長さＸ１１、Ｘ１２に対し、短くても、等しくても、長くても良く、適宜設定することが可能である。また支線領域Ｆはリード用導体１２、１４の双方から導出されて対向するにつれて面積が大となるように設けられる。この支線領域Ｆは、リード用導体１３、１４の間のＹ方向において、所定の間隔Ｙ９をもって複数設けられている。本実施の形態においては、例えば３箇所の支線領域Ｆ１、Ｆ２、Ｆ３を設けることとする。そして、支線領域Ｆ１、Ｆ２、Ｆ３の何れかを半田にて接続することにより、ＤＶＤ用のレーザー発光素子のアノード電極及びカソード電極間は短絡することとなる。一方、支線領域Ｆ１、Ｆ２、Ｆ３の何れかに付着されている半田を取り除くことにより、ＤＶＤ用のレーザー発光素子のアノード電極及びカソード電極間は短絡解除されることとなる。
【００４７】
なお、支線領域Ｅの所定の間隔Ｙ８のＹ方向の長さは、各リード用導体１３、１４から導出されて対向する支線のＹ方向の所定の長さＹ６Ｙ７よりも長く設ける。また支線領域Ｆの所定の間隔Ｙ９のＹ方向の長さは、各リード用導体１２、１４から導出されて対向する支線のＹ方向の所定の長さＹ４Ｙ５よりも長く設ける。よって支線領域Ｅ１、Ｅ２、Ｅ３及び接続領域Ｆ１、Ｆ２、Ｆ３はＹ方向に向かって千鳥状に設けられることになる。また、支線領域Ｅ１、Ｅ２、Ｅ３が設けられるＸ方向において、リード用導体１２、１４間の長さ（何れか２つのリード用導体の前記幅方向の長さ）Ｘ１３よりもリード用導体１３、１４間の間隙（他の何れか２つのリード用導体の前記幅方向の長さ）Ｘ１４を短く設ける。更に、支線領域Ｆ１、Ｆ２、Ｆ３が設けられるＸ方向において、リード用導体１３、１４間の長さ（他の何れか２つのリード用導体の前記幅方向の長さ）Ｘ１４よりもリード用導体１２、１４間の間隙（何れか２つのリード用導体の幅方向の長さ）Ｘ１３を短く設ける。なお、支線領域Ｅ１、Ｅ２、Ｅ３及び支線領域Ｆ１、Ｆ２、Ｆ３以外の領域は絶縁層が設けられている。
【００４８】
光ピックアップ９の組立工程または光ディスク装置の組立工程時等における、光ピックアップ９の有するＣＤ用のレーザー発光素子のアノード電極及びカソード電極間の短絡、短絡解除、及びＤＶＤ用のレーザー発光素子のアノード電極及びカソード電極間の短絡、短絡解除については、第２の実施形態のとおりである。
【００４９】
上記第３の実施形態によれば、光ピックアップの組立工程、光ディスク装置の組立工程時のＣＤ用のレーザー発光素子のアノード電極及びカソード電極間の短絡または短絡解除のための支線領域Ｅ１、Ｅ２、Ｅ３への半田の接続、半田の取り除きが少なくとも３回繰り返されることにより、支線領域Ｅ１、Ｅ２、Ｅ３の何れかにおいて半田による支線の剥離が生じても、他の何れかの支線領域（例えば支線領域Ｅ１において支線の剥離が生じた場合の支線領域Ｅ２、Ｅ３）において半田の接続、半田の取り除きを行うことによりＣＤ用のレーザー発光素子のアノード電極及びカソード電極間の短絡、短絡解除を行うことが可能となる。また、リード用導体１２、１４の双方から導出されて接続される支線に剥離が生じても、Ｘ方向において各リード用導体１２、１４の幅はそのまま残ることになり、各リード用導体１２、１４の断線を防止することが可能となる。更に、支線領域Ｅ１、Ｅ２、Ｅ３においては各リード用導体１２、１４の双方から導出されて対向するにつれて面積が大となることから、半田の接続、半田の取り除きが容易に可能となる。
【００５０】
同様にＤＶＤ用のレーザー発光素子のアノード電極及びカソード電極間の短絡または短絡解除のための支線領域Ｆ１、Ｆ２、Ｆ３への半田の接続、半田の取り除きが少なくとも３回繰り返されることにより、支線領域Ｆ１、Ｆ２、Ｆ３の何れかにおいて半田による支線の剥離が生じても、他の何れかの支線領域（例えば支線領域Ｆ１において支線の剥離が生じた場合の支線領域Ｆ２、Ｆ３）において半田の接続、半田の取り除きを行うことによりＤＶＤ用のレーザー発光素子のアノード電極及びカソード電極間の短絡、短絡解除を行うことが可能となる。また、リード用導体１３、１４の双方から導出されて接続される支線に剥離が生じても、Ｘ方向において各リード用導体１３、１４の幅はそのまま残ることになり、各リード用導体１３、１４の断線を防止することが可能となる。更に、支線領域Ｆ１、Ｆ２、Ｆ３においては各リード用導体１３、１４の双方から導出されて対向するにつれて面積が大となることから、半田の接続、半田の取り除きが容易に可能となる。
【００５１】
また、支線領域Ｅ１、Ｅ２、Ｅ３及び支線領域Ｆ１、Ｆ２、Ｆ３をＹ方向に向かって千鳥状に設けたことにより、例えば支線領域Ｅ１において半田によるリード用導体１４の支線の剥離、及びＦ１において半田によるリード用導体１４の支線の剥離が生じたとしても、リード用導体１４の幅は各支線の剥離によるダメージを受けにくくなる。更に、支線領域Ｅ１、Ｅ２、Ｅ３が設けられるＸ方向において、リード用導体１２、１４間の長さ（何れか２つのリード用導体の前記幅方向の長さ）Ｘ１３よりもリード用導体１３、１４間の間隙（他の何れか２つのリード用導体の前記幅方向の長さ）Ｘ１４を短く設け、更に、支線領域Ｆ１、Ｆ２、Ｆ３が設けられるＸ方向において、リード用導体１３、１４間の長さ（他の何れか２つのリード用導体の前記幅方向の長さ）Ｘ１４よりもリード用導体１２、１４間の間隙（何れか２つのリード用導体の幅方向の長さ）Ｘ１３を短く設けたことにより、第２の実施形態に比べ引出し用基板上１１の各リード用導体１２、１４間の幅が狭くなることが可能となり、引出し用基板１１の省スペース化、または光ピックアップ９の他の配線を有効に配置することが可能となる。特にリード用導体の剥離が顕著となる、銅の含有率が高い鉛フリー半田（Sn(スズ)−Ag(銀)−Cu(銅)）を使用した場合において、各リード用導体１２、１３、１４の剥離が生じず、ＣＤ用のレーザー発光素子のアノード電極及びカソード電極間の短絡または短絡解除、及びＤＶＤ用のレーザー発光素子のアノード電極及びカソード電極間の短絡または短絡解除が可能となる。
【００５２】
＝＝＝第４の実施形態＝＝＝
図６は本発明の第４の実施形態である。図１、図２、図６を参照しつつ、本発明を適用する光ディスク装置の光ピックアップ９のＣＤ用のレーザー発光素子のアノード電極及びカソード電極間の短絡または短絡解除、及びＤＶＤ用のレーザー発光素子のアノード電極及びカソード電極間の短絡または短絡解除の具体的構成について説明する。
【００５３】
引出し用基板１１は主回路基板２と光ピックアップ９とを、フレキシブルプリント基板３を介して電気的接続させるために設けられている。リード用導体１２はＣＤ用のレーザー発光素子の例えばアノード電極と接続されて導出されている。リード用導体１３はＤＶＤ用のレーザー発光素子の例えばアノード電極と接続されて導出されている。リード用導体１４はＣＤ用、ＤＶＤ用のレーザー発光素子の例えばカソード電極（例えばグランド）と共通接続されて導出されている。引出し用基板１１上における各リード用導体１２、１３、１４の長手方向（Ｙ方向）と直交（交差）する幅方向（Ｘ方向）上において、リード用導体１４はリード用導体１２とリード用導体１３の間に設けられている。またＸ方向上においてリード用導体１２はリード用導体１４と所定の間隙（間隔）Ｘ１５をもって設けられ、リード用導体１３はリード用導体１４と所定の間隙（間隔）Ｘ１６をもって設けられている。なお、Ｘ方向において、間隙Ｘ１５及び間隙Ｘ１６の長さは、どちらか一方が長くても、等しくても、どちらか一方が短くても良く、適宜設定することが可能である。
【００５４】
リード用導体１２とリード用導体１４との間には、リード用導体１２、１４を半田にて短絡または短絡解除するための支線領域Ｇ（支線領域）が設けられている。この支線領域Ｇにおいて、リード用導体１２、１４は双方から導出されて対向する支線を有する。リード用導体１２から導出されて対向する支線はＸ方向において長さＸ１７を有し、Ｙ方向において所定の長さを有している。またリード用導体１４から導出されて対向する支線はＸ方向において長さＸ１８（Ｘ１７＋Ｘ１８は間隙Ｘ１５より短い長さ）を有し、Ｙ方向において所定の長さを有している。なお、支線領域ＧのＹ方向におけるそれぞれの所定の長さは、Ｘ方向における長さＸ１７、Ｘ１８に対し、短くても、等しくても、長くても良く、適宜設定することが可能である。また支線領域Ｇはリード用導体１２、１４の双方から導出されて対向するにつれて面積が大となるように設けられる。この支線領域Ｇは、リード用導体１２、１４の間のＹ方向において、所定の間隔をもって複数設けられている。本実施の形態においては、例えば３個の支線領域Ｇ１、Ｇ２、Ｇ３を設けることとする。そして、支線領域Ｇ１、Ｇ２、Ｇ３の何れかを半田にて接続することにより、ＣＤ用のレーザー発光素子のアノード電極及びカソード電極間は短絡されることとなる。一方、支線領域Ｇ１、Ｇ２、Ｇ３の何れかに付着されている半田を取り除くことにより、ＣＤ用のレーザー発光素子のアノード電極及びカソード電極間は短絡解除されることとなる。
【００５５】
一方、リード用導体１３とリード用導体１４との間には、リード用導体１３、１４を半田にて短絡または短絡解除するための接続領域Ｈ（接続領域）が設けられている。この接続領域Ｈは、Ｘ方向において、リード用導体１３、１４の向かい合う側の幅の一部を含む長さ（間隙Ｘ１６より長い長さ）を有し、Ｙ方向において、所定の長さを有している。なお、接続領域ＨのＹ方向における長さは、Ｘ方向における長さに対し、短くても、等しくても、長くても良く、適宜設定することが可能である。この接続領域Ｈは、リード用導体１３、１４の間のＹ方向において複数設けられている。本実施の形態においては、例えば３箇所の接続領域Ｈ１、Ｈ２、Ｈ３を支線領域Ｇ１、Ｇ２、Ｇ３に対してそれぞれ所定の間隔をもって設けることとする。よって支線領域Ｇ１、Ｇ２、Ｇ３及び接続領域Ｈ１、Ｈ２、Ｈ３はＹ方向に向かって千鳥状に設けられることになる。そして、接続領域Ｈ１、Ｈ２、Ｈ３の何れかを半田にて接続することにより、ＤＶＤ用のレーザー発光素子のアノード電極及びカソード電極間は短絡することとなる。一方、接続領域Ｈ１、Ｈ２、Ｈ３の何れかに付着されている半田を取り除くことにより、ＤＶＤ用のレーザー発光素子のアノード電極及びカソード電極間は短絡解除されることとなる。支線領域Ｇ１、Ｇ２、Ｇ３及び接続領域Ｈ１、Ｈ２、Ｈ３以外の領域は絶縁層が設けられている。
【００５６】
本実施形態のおいては光ピックアップ９が有するＣＤ用のレーザー発光素子を、光ディスク装置等の組立を行う作業者等から受ける静電気から保護するため、ＣＤ用のレーザー発光素子のアノード電極及びカソード電極間の短絡を支線領域Ｇ１、Ｇ２、Ｇ３の何れかを半田にて接続することによりＣＤ用のレーザー発光素子のアノード電極及びカソード電極間の短絡を行う。同様に光ピックアップ９が有するＤＶＤ用のレーザー発光素子を光ディスク装置等の組立を行う作業者等から受ける静電気から保護するため、ＤＶＤ用のレーザー発光素子のアノード電極及びカソード電極間の短絡を接続領域Ｈ１、Ｈ２、Ｈ３の何れかを半田にて接続することによりＤＶＤ用のレーザー発光素子のアノード電極及びカソード電極間の短絡を行う。
【００５７】
一方、光ピックアップ９の組立工程、光ディスク装置の組立工程時等の光ピックアップ９の有するＣＤ用のレーザー発光素子のアノード電極及びカソード電極間の短絡解除を支線領域Ｇ１、Ｇ２、Ｇ３の何れかに付着されている半田を取り除くことによりＣＤ用のレーザー発光素子のアノード電極及びカソード電極間の短絡解除を行う。同様に接続領域Ｈ１、Ｈ２、Ｈ３の何れかに付着されている半田を取り除くことによりＤＶＤ用のレーザー発光素子のアノード電極及びカソード電極間の短絡解除を行う。
【００５８】
上記第４の実施形態によれば、光ピックアップの組立工程、光ディスク装置の組立工程時の支線領域Ｇ１、Ｇ２、Ｇ３によるＣＤ用のレーザー発光素子のアノード電極及びカソード電極間の短絡または短絡解除への効果、及びリード用導体１２、１４への効果は第２の実施形態のとおりである。接続領域Ｈ１、Ｈ２、Ｈ３によるＤＶＤ用のレーザー発光素子のアノード電極及びカソード電極間の短絡または短絡解除への効果、及びリード用導体１３、１４への効果は第１の実施形態のとおりである。また、支線領域Ｇ１、Ｇ２、Ｇ３及び接続領域Ｈ１、Ｈ２、Ｈ３をＹ方向に向かって千鳥状に設けたことにより、例えば支線領域Ｇ１において半田によるリード用導体１４の支線の剥離、及びＨ１において半田によるリード用導体１４の剥離が生じたとしても、リード用導体１４の幅は支線の剥離によるダメージを受けにくくなる。特にリード用導体の剥離が顕著となる、銅の含有率が高い鉛フリー半田（Sn(スズ)−Ag(銀)−Cu(銅)）を使用した場合において、各リード用導体１３、１４の剥離が生じても、ＣＤ用のレーザー発光素子のアノード電極及びカソード電極間の短絡または短絡解除、及びＤＶＤ用のレーザー発光素子のアノード電極及びカソード電極間の短絡または短絡解除が可能となる。
【００５９】
＝＝＝その他の実施の形態＝＝＝
以上、本発明に係る光ディスク装置、特に光ピックアップの有するＣＤ用のレーザー発光素子のアノード電極及びカソード電極間の短絡または短絡解除、及びＤＶＤ用のレーザー発光素子のアノード電極及びカソード電極間の短絡または短絡解除について説明したが、上記の説明は、本発明の理解を容易とするためのものであり、本発明を限定するものではない。本発明は、その趣旨を逸脱することなく、変更、改良され得る。
【００６０】
＜＜接続領域の形態＞＞
第１、第４の実施形態において各接続領域は、長方形に設けられているが、各接続領域のＸ方向において各リード用導体の向かい合う幅の一部を含む長さ（各リード用導体間の間隙より長い長さ）を有していれば正方形や円形、楕円形等どのような形態を有していても良い。
【００６１】
＜＜支線領域の支線の形態＞＞
第２、第３、第４の実施形態における各支線領域の各リード用導体から導出されて対向する支線において、対向する接続部位の形態は、半円形に設けられているが、対向するにつれて面積が大となるような三角形、四角形等どのような形態を有していても良い。
【００６２】
＜＜リード用導体の配線＞＞
第１、第２、第３、第４の実施形態のＸ方向における各リード用導体１２、１３、１４の配列においては、リード用導体１４をリード用導体１２及びリード用導体１３の間に設けているが、ＣＤ用又はＤＶＤ用のレーザー発光素子を同時に短絡する必要がない場合、リード用導体１４をリード用導体１２及びリード用導体１３の間に設ける必要はなく、Ｘ方向における各リード用導体１２、１３、１４の配列を適宜変更して設けても良い。
【図面の簡単な説明】
【００６３】
【図１】本発明を適用する光ディスク装置の概略構成を示す図である。
【図２】本発明を適用する光ディスク装置の光ピックアップの概略構成を示す図である。
【図３】本発明に係る光ディスク装置の第１の実施形態を示す図である。
【図４】本発明に係る光ディスク装置の第２の実施形態を示す図である。
【図５】本発明に係る光ディスク装置の第３の実施形態を示す図である。
【図６】本発明に係る光ディスク装置の第４の実施形態を示す図である。
【図７】各引出し用基板上のリード用導体間の従来技術例を示す図である。
【符号の説明】
【００６４】
１    光ピックアップ送り機構
２    主回路基板
３    フレキシブルプリント基板
４    ボトムケース
５    トップケース
６    ディスクトレイ
７    レール機構
８    ディスクモータ
９    光ピックアップ
１０  対物レンズ
１１  引出し用基板
１２、１３、１４  リード用導体
Ａ１、Ａ２、Ａ３、Ｂ１、Ｂ２、Ｂ３、Ｈ１、Ｈ２、Ｈ３  接続領域
Ｃ１、Ｃ２、Ｃ３、Ｄ１、Ｄ２、Ｄ３、Ｅ１、Ｅ２、Ｅ３、Ｆ１、Ｆ２、Ｆ３、Ｇ１、Ｇ２、Ｇ３  支線領域
【図１】
2005216436.tif 000003
【図２】
2005216436.tif 000004
【図３】
2005216436.tif 000005
【図４】
2005216436.tif 000006
【図５】
2005216436.tif 000007
【図６】
2005216436.tif 000008
【図７】
2005216436.tif 000009